(57)【要約】【課題】設定情報に基づいて動作する印刷装置であって、設定情報の変更、切換えを容易にできると共に、設定情報のバックアップ機能を向上させることのできる印刷装置等を提供する。【解決手段】設定情報に基づいて動作する印刷装置が、前記設定情報を記憶する、第１記憶部及び第２記憶部と、前記第２記憶部に記憶される所定情報に基づいて、前記設定情報を、前記第１記憶部から読み出すか、それとも、前記第２記憶部から読み出すかを決定する設定情報制御部とを備える。【選択図】  図１
2016007741.tif 000002
【特許請求の範囲】
【請求項１】
設定情報に基づいて動作する印刷装置であって、
前記設定情報を記憶する、第１記憶部及び第２記憶部と、
前記第２記憶部に記憶される所定情報に基づいて、前記設定情報を、前記第１記憶部から読み出すか、それとも、前記第２記憶部から読み出すかを決定する設定情報制御部と、を備える
ことを特徴とする印刷装置。
【請求項２】
請求項１において、
前記第２記憶部は、着脱可能である
ことを特徴とする印刷装置。
【請求項３】
請求項１あるいは２において、
前記設定情報制御部は、前記第１記憶部に不具合がある場合には、前記設定情報を前記第２記憶部から読み出す
ことを特徴とする印刷装置。
【請求項４】
請求項３において、
前記設定情報制御部は、前記読み出した設定情報を前記第１記憶部に書き込む
ことを特徴とする印刷装置。
【請求項５】
請求項１乃至４のいずれか１項において、
前記設定情報制御部は、前記第２記憶部に記憶される設定情報が前記第１記憶部に記憶される設定情報と異なる場合に、前記第２記憶部に記憶される設定情報を前記第１記憶部に記憶される設定情報に合わせる
ことを特徴とする印刷装置。
【請求項６】
請求項１乃至５のいずれか１項において、
前記設定情報制御部は、前記第２記憶部に記憶される設定情報を使用しているか否かをユーザーに報知する
ことを特徴とする印刷装置。
【請求項７】
請求項１乃至６のいずれか１項において、
前記第２記憶部は、フォントデータ、イメージデータ、又は、テンプレートデータを記憶する
ことを特徴とする印刷装置。
【請求項８】
設定情報に基づいて動作する印刷装置における制御方法であって、
前記印刷装置に、前記設定情報を記憶する、第１記憶部及び第２記憶部が備えられ、
前記第２記憶部に記憶される所定情報に基づいて、前記設定情報を、前記第１記憶部から読み出すか、それとも、前記第２記憶部から読み出すかを決定する
ことを特徴とする制御方法。
【請求項９】
設定情報に基づいて動作する印刷装置の制御部に処理を実行させる制御プログラムであって、
前記印刷装置に、前記設定情報を記憶する、第１記憶部及び第２記憶部が備えられ、
前記第２記憶部に記憶される所定情報に基づいて、前記設定情報の読み出し先を、前記第１記憶部から読み出すか、それとも、前記第２記憶部から読み出すかを決定する処理を前記制御部に実行させる
ことを特徴とする制御プログラム。
【発明の詳細な説明】
【技術分野】
【０００１】
本発明は、設定情報に基づいて動作する印刷装置等に関し、特に、設定情報の変更、切換えを容易にできると共に、設定情報のバックアップ機能を向上させることのできる印刷装置等に関する。
【背景技術】
【０００２】
従来、プリンターには、不揮発性メモリーなど電源を切断しても情報が消えない記憶装置に、プリンターの動作環境を所望の状態に設定するための情報（設定情報）が記憶されており、電源が投入された際やリセット動作を行う際に、この設定情報が読み出されてプリンターの動作環境が準備される。この設定情報には、プリンターの出荷国に合わせた表示言語等の情報（仕向け情報）、印刷条件などの製品仕様情報などがあり、各項目に対してパラメーター値として表現されている。
【０００３】
通常、仕向け情報、デフォルトの製品仕様情報が工場の出荷時などに記憶され、その後は、ユーザーや検査員によって、適宜、変更される。
【０００４】
しかし、この変更作業は、プリンターの操作パネルから専用のコマンドを用いて行うものであり、あまり利便性の良いものではなかった。また、一時的に設定情報を変更した場合や、設定情報に不具合が発生した場合などには、利便性の良くない操作によって設定情報を記憶し直さなくてはならなかった。
【０００５】
このような課題に対して、従来、下記特許文献に記載されるような提案がなされている。
【０００６】
下記特許文献１では、初期実行コマンドの追記を指示するコマンドをホストコンピューターから送信することによって、不揮発性メモリーに初期実行コマンドを追記し、上述した煩雑な操作を省くことが提案されている。
【０００７】
下記特許文献２では、電源オフや登録数の限度によりデータが抹消されるのを防ぎ、フォームデータを何度も登録しなければならないという手間を省くために、印刷環境設定情報及び登録データを記録可能でプリンターから取り外し可能なユーザー設定記録媒体を利用することが示されている。
【０００８】
また、下記特許文献３では、設定情報の再設定時におけるユーザーまたは保守員の負担を軽減するために、オペレーションログをメモリーカードに保存して、そのオペレーションログを復元できるようにする技術が提案されている。
【先行技術文献】
【特許文献】
【０００９】
【特許文献１】特開２０１３−１２９０６６号公報
【特許文献２】特開平１１−３０１０６７号公報
【特許文献３】特開２０１３−１６６２７０号公報
【発明の概要】
【発明が解決しようとする課題】
【００１０】
しかしながら、上記特許文献に記載の装置では、設定情報を記憶する不揮発性メモリーが１つである、または、最終的に１つの不揮発性メモリーを介して設定情報を利用する、
という構成であるので、そのメモリーがハード的に壊れた場合など読み書き不能になってしまった場合に対応ができない。
【００１１】
さらに、このような構成であるので、一時的に設定情報を変更して試用するような場合には、試用後また元の設定状態に戻す操作が必要である。
【００１２】
また、近年、プリンターの高機能化が進んでおり、設定情報の数も増加しているため、このような操作はより煩雑となっている。
【００１３】
そこで、本発明の目的は、設定情報に基づいて動作する印刷装置であって、設定情報の変更、切換えを容易にできると共に、設定情報のバックアップ機能を向上させることのできる印刷装置、等を提供することである。
【課題を解決するための手段】
【００１４】
上記の目的を達成するために、本発明の一つの側面は、設定情報に基づいて動作する印刷装置が、前記設定情報を記憶する、第１記憶部及び第２記憶部と、前記第２記憶部に記憶される所定情報に基づいて、前記設定情報を、前記第１記憶部から読み出すか、それとも、前記第２記憶部から読み出すかを決定する設定情報制御部とを備える、ことである。
【００１５】
更に、上記発明において、その好ましい態様は、前記第２記憶部は、着脱可能である、ことを特徴とする。
【００１６】
更に、上記発明において、その好ましい態様は、前記設定情報制御部は、前記第１記憶部に不具合がある場合には、前記設定情報を前記第２記憶部から読み出す、ことを特徴とする。
【００１７】
更に、上記発明において、好ましい態様は、前記設定情報制御部は、前記読み出した設定情報を前記第１記憶部に書き込む、ことを特徴とする。
【００１８】
更にまた、上記発明において、一つの態様は、前記設定情報制御部は、前記第２記憶部に記憶される設定情報が前記第１記憶部に記憶される設定情報と異なる場合に、前記第２記憶部に記憶される設定情報を前記第１記憶部に記憶される設定情報に合わせる、ことを特徴とする。
【００１９】
更に、上記発明において、その好ましい態様は、前記設定情報制御部は、前記第２記憶部に記憶される設定情報を使用しているか否かをユーザーに報知する、ことを特徴とする。
【００２０】
更にまた、上記発明において、好ましい態様は、前記第２記憶部は、フォントデータ、イメージデータ、又は、テンプレートデータを記憶する、ことを特徴とする。
【００２１】
上記の目的を達成するために、本発明の別の側面は、設定情報に基づいて動作する印刷装置における制御方法において、前記印刷装置に、前記設定情報を記憶する、第１記憶部及び第２記憶部が備えられ、前記第２記憶部に記憶される所定情報に基づいて、前記設定情報を、前記第１記憶部から読み出すか、それとも、前記第２記憶部から読み出すかを決定する、ことである。
【００２２】
上記の目的を達成するために、本発明の更に別の側面は、設定情報に基づいて動作する印刷装置の制御部に処理を実行させる制御プログラムにおいて、前記印刷装置に、前記設定情報を記憶する、第１記憶部及び第２記憶部が備えられ、前記第２記憶部に記憶される
所定情報に基づいて、前記設定情報の読み出し先を、前記第１記憶部から読み出すか、それとも、前記第２記憶部から読み出すかを決定する処理を前記制御部に実行させる、ことである。
【００２３】
本発明の更なる目的及び、特徴は、以下に説明する発明の実施の形態から明らかになる。
【図面の簡単な説明】
【００２４】
【図１】本発明を適用した印刷装置の実施の形態例に係る構成図である。
【図２】プリンター２の設定情報に係る部分の機能構成図である。
【図３】設定情報の読み込み処理の手順を例示したフローチャートである。
【発明を実施するための形態】
【００２５】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２６】
図１は、本発明を適用した印刷装置の実施の形態例に係る構成図である。図１に示すプリンター２が本発明を適用した印刷装置であり、本プリンター２は、起動時などに読み込む設定情報を、不揮発性メモリー２１５とメモリーカード２１６に記憶し、それらのどちらからでも並列に読み込み可能な構成を備えている。これにより、設定情報の変更、一時的な切換えを容易に行うことができ、また、不揮発性メモリー２１５に不具合が発生した際にも悪影響を最小限に抑えることができる。
【００２７】
図１に示すように、本実施の形態例では、ホストコンピューター１と、ホストコンピューター１から受信した印刷データに従って印刷処理を実行するプリンター２で構成されるシステムとなっている。プリンター２は、例えば、複数のラベルをロール紙に連続して印刷するインクジェット方式のラインプリンターである。
【００２８】
ホストコンピューター１は、パーソナルコンピューター等で構成されるプリンター２のホスト装置である。図示していないが、ＣＰＵ、ＲＡＭ、ＨＤＤ、表示装置、通信装置、操作装置等を備える。また、図１に示すように、ホストコンピューター１は、ドライバー１１とユーティリティー１２を備える。ドライバー１１は、プリンター２用のドライバーであり、図示していないアプリケーションからの要求に従って、印刷データを生成しプリンター２送信する機能を有する。
【００２９】
また、ユーティリティー１２は、プリンター２の設定情報を編集する機能を備える。具体的には、ホストコンピューター１のユーザーによる操作に従って設定情報の編集コマンドを生成し、当該コマンドをプリンター２に送信し、プリンター２に記憶される設定情報の編集を行わせる。また、ホストコンピューター１に装着されたメモリーカードに対して、同様の設定情報の編集機能を備える。
【００３０】
なお、ドライバー１１及びユーティリティー１２は、それぞれ、それらが実行する処理を記述したプログラムと当該プログラムによって処理を実行するＣＰＵ等で構成される。
【００３１】
プリンター２は、図１に示すように、コントローラー２１、印刷機構部２２、及び操作部２３を備える。
【００３２】
コントローラー２１は、プリンター２の各所の動作を制御する部分であり、図１に示すような構成を有する。
【００３３】
ＣＰＵ２１１（制御部）は、ＲＯＭ２１３に記憶される各制御プログラムに従って処理を実行する制御部である。プリンター２が起動後、ＲＡＭ２１２に読み込まれた設定情報に基づいて各制御処理を実行する。
【００３４】
ＲＡＭ２１２は、各データを一時的に記憶する記憶部であり、プリンター２が起動後、設定情報を保持する。
【００３５】
ＲＯＭ２１３は、上記各制御プログラム等を格納した記憶部である。
【００３６】
印刷制御回路２１４は、プリンター２が受信した印刷データを、印刷機構部２２用の印刷実行データとして、印刷機構部２２に転送する回路であり、ＡＳＩＣで構成される。
【００３７】
次に、不揮発性メモリー２１５（第１記憶部）は、プリンター２の電源が切断されても（オフになっても）残しておくべき情報を記憶する記憶部であり、プリンター２の設定情報を記憶している。設定情報は、プリンター２の動作環境を所望の状態に設定するための情報であり、電源が投入された際やリセット動作を行う際に、この設定情報がＲＡＭ２１２に読み出されて利用される。この設定情報には、プリンター２の出荷国に合わせた表示言語等の情報（仕向け情報）、印刷条件などの製品仕様情報などがあり、各項目に対してパラメーター値として表現される。
【００３８】
メモリーカード２１６（第２記憶部）は、プリンター２の電源が切断されても残しておくべき情報を記憶する第２の記憶部であり、一般的に使用さているメモリーカードである。メモリーカード２１６は、プリンター２に着脱可能であり、各印刷物に共通して使用可能なフォントデータ、テンプレートデータ、イメージデータなどを記憶すると共に、設定情報も記憶する。
【００３９】
次に、印刷機構部２２は、コントローラー２１の指示に従って印刷媒体（本実施形態では、ロール紙）に印刷処理を実行する部分である。印刷方式がインクジェット方式であるので、インクを吐出するノズルを備えたヘッド部、印刷媒体を搬送する搬送部等を備える。
【００４０】
操作部２３は、プリンター２のユーザーＩ／Ｆを担う部分であり、ユーザーへ情報を表示する表示パネル、ユーザーの操作を可能にする操作パネル等を備える。ユーザーがプリンター２で設定情報の編集を行う場合には、当該操作部２３を用いる。表示パネルは、点灯、点滅を行うＬＥＤ、簡単な文字情報を表示ができるＬＣＤ等であり、操作パネルは、ボタン、タッチパネル等である。
【００４１】
図２は、プリンター２の設定情報に係る部分の機能構成図である。図２のＲＡＭ２１２、不揮発性メモリー２１５、及びメモリーカード２１６は、それぞれ、図１に示したものに相当する。不揮発性メモリー２１５には、設定情報が記憶される。メモリーカード２１６には、設定情報を収める設定情報ファイル３０２、フォントデータを収めるフォントファイル３０３、テンプレートデータを収めるテンプレートファイル３０４、及びイメージデータを収めるイメージファイル３０５が記憶される。また、メモリーカード２１６には、優先フラグ３０１（所定情報）という情報が記憶される。当該優先フラグ３０１は、不揮発性メモリー２１５に記憶されている設定情報と当該メモリーカード２１６に記憶されている設定情報の、どちらを優先して使用するかを示すフラグ情報であり、メモリーカード２１６の所定箇所に記憶される。
【００４２】
図２の設定情報制御部２００は、設定情報の制御処理を行う部分であり、処理内容を記
述したプログラム（制御プログラム）と当該プログラムに従って処理を実行するＣＰＵ２１１によって構成される。図２に示すように、設定情報制御部２００は、設定情報管理部２０１、設定情報読み取り部２０２、及び設定情報書き込み部２０３を備える。設定情報管理部２０１は、使用する制御情報の決定、設定情報読み取り部２０２及び設定情報書き込み部２０３への動作指示等を実施する。設定情報読み取り部２０２は、不揮発性メモリー２１５及びメモリーカード２１６からの情報の読み取り処理を実施する。また、設定情報書き込み部２０３は、設定情報等の書き込み処理を実施する。
【００４３】
以上のような構成を有する本プリンター２では、以下のようにして印刷処理が実行される。ホストコンピューター１から印刷を要求する印刷データが送信されると、当該印刷データをＲＡＭ２１２の受信バッファに格納する。その後、順次、格納された印刷データを読み出し、ＣＰＵ２１１による処理を実行し、処理後のデータを印刷制御回路２１４に転送する。印刷制御回路２１４は転送されたデータから印刷実行データを生成し、印刷機構部２２に送信する。印刷機構部２２は、送信されたデータに従って印刷媒体（ロール紙）に対して印刷処理を実行する。
【００４４】
本プリンター２では、前述のとおり、設定情報に係る処理に特徴があり、以下、設定情報に関連する処理の内容について説明する。
【００４５】
上述の通り、本実施形態では、設定情報は、プリンター２の製品仕向け情報、製品仕様情報であるので、製造者による出荷時や製品の設置時に、製造者や保守員等によって初期の値が入力されて、不揮発性メモリー２１５及びメモリーカード２１６に記憶される。この場合、通常は、不揮発性メモリー２１５とメモリーカード２１６に同じ設定情報が記憶される。
【００４６】
次に、プリンター２の起動時などに設定情報がＲＡＭ２１２に読み込まれる際の処理について説明する。図３は、当該設定情報の読み込み処理の手順を例示したフローチャートである。
【００４７】
プリンター２の電源が投入された（オンにされた）際、プリンター２のリセット処理がなされた際などに設定情報のＲＡＭ２１２への読み込み処理が開始される。まず、設定情報管理部２０１が、メモリーカード２１６にアクセスし、優先フラグ３０１が収められる箇所に、優先フラグ３０１が有るか否かを確認する（図３のステップＳ１）。
【００４８】
確認の結果、優先フラグ３０１が有る場合には（図３のステップＳ１の「有」）、設定情報管理部２０１は、設定情報読み取り部２０２に指示して、メモリーカード２１６の設定情報ファイル３０２に収められる設定情報を読み出させる（図３のステップＳ２）。その後、処理がステップＳ８に移行する。
【００４９】
一方、上記確認の結果、優先フラグ３０１が無い場合には（図３のステップＳ１の「無」）、設定情報管理部２０１は、不揮発性メモリー２１５にエラー（不具合）が発生しているか否かを確認する（図３のステップＳ３）。
【００５０】
当該確認の結果、エラーが発生していなければ（図３のステップＳ３の「無」）、設定情報管理部２０１は、設定情報読み取り部２０２に指示して、不揮発性メモリー２１５に記憶される設定情報を読み出させる（図３のステップＳ４）。その後、処理がステップＳ８に移行する。
【００５１】
一方、上記確認の結果、エラーが発生していれば（図３のステップＳ３の「有」）、設定情報管理部２０１は、設定情報読み取り部２０２に指示して、メモリーカード２１６の
設定情報ファイル３０２に収められる設定情報を読み出させる（図３のステップＳ５）。
【００５２】
その後、設定情報管理部２０１は、不揮発性メモリー２１５のエラー（不具合）がデータの不具合であって、メモリーのハードウェア自体には問題がなく、データの書き込みが可能な状態であるか、それともデータの書き込みが不可能な状態であるかを確認する（図３のステップＳ６）。なお、データの不具合は、チェックサムなどの手法によって確認することができる。
【００５３】
当該確認の結果、不揮発性メモリー２１５へのデータの書き込みが不可能である場合には（図３のステップＳ６の「否」）、処理がステップＳ８に移行する。
【００５４】
一方、上記確認の結果、不揮発性メモリー２１５へのデータの書き込みが可能である場合には（図３のステップＳ６の「可」）、設定情報管理部２０１は、設定情報書き込み部２０３に指示して、上記ステップＳ５で読み出した設定情報を、不揮発性メモリー２１５に書き込ませる（図３のステップＳ７）。その後、処理がステップＳ８に移行する。
【００５５】
ステップＳ８では、いずれのステップから処理が移行した場合にも、設定情報制御部２００が設定情報を読み出した状態であるので、設定情報管理部２０１は、設定情報書き込み部２０３に指示して、その読み出した設定情報をＲＡＭ１２に書き込ませる。その結果、設定情報がＲＡＭ１２にアップされ、設定情報が使用可能な状態になる。そして、ＣＰＵ２１１により当該設定情報を用いて印刷準備の処理がなされる。
【００５６】
次に、設定情報管理部２０１は、今回使用した設定情報の格納場所について、すなわち、使用されたメモリー（不揮発性メモリー２１５、又は、メモリーカード２１６）について、ユーザーに報知する処理を行う（図３のステップＳ９）。具体的には、例えば、ステップＳ２及びステップＳ５を経由した場合には、メモリーカード２１６の設定情報が使われている旨を報知するＬＥＤ（報知手段）を点灯するように、操作部２３を制御する部分に指示を出す。一方、ステップＳ４を経由した場合には、当該ＬＥＤを消灯するように指示を出す。なお、上述した例において、ステップＳ７を経由した場合には、当該ＬＥＤを消灯するように指示を出す、ようにしてもよい。この場合には、優先フラグ３０１がメモリーカード２１６に無く、不揮発性メモリー２１５の設定情報も正常となって、不揮発性メモリー２１５が使用される状態になっているからである。また、表示手段として、ＬＣＤを用い、メモリーカード２１６の設定情報が使われている旨の表示をしてもよい。
【００５７】
以上のようにして、起動時などに設定情報がＲＡＭ２１２に読み込まれる。
【００５８】
次に、既に記憶された設定情報の変更処理について説明する。プリンター２において変更する場合には、操作者（ユーザー、保守員など）は、操作部２３を用いて、予め準備されたメニューに従い、メモリー（不揮発性メモリー２１５、又は、メモリーカード２１６）を選択し、その後、所望の設定情報について値を入力して、設定情報の変更を指示する。当該指示がなされると、変更するメモリーと設定情報とその値が設定情報管理部２０１に送信され、設定情報管理部２０１が、設定情報書き込み部２０３に指示して、指示された設定情報の値を入力された値に更新させる。
【００５９】
また、同様の操作によって、メモリーカード２１６への優先フラグ３０１の書き込み、及び、メモリーカード２１６からの優先フラグ３０１の消去を実行する。これによって、優先して使用するメモリー（不揮発性メモリー２１５、又は、メモリーカード２１６）を設定することができる。
【００６０】
これら設定情報及び優先フラグ３０１の変更処理は、ホストコンピューター１のユーテ
ィリティー１２を用いて行うこともできる。操作者（ユーザー、保守員など）は、ユーティリティー１２が提供するユーザーインターフェース画面を用いて、変更の指示を行う。当該指示を受けて、ユーティリティー１２は、変更内容を含む設定情報等の変更指示コマンドをプリンター２に送信する。当該変更指示コマンドは設定情報管理部２０１に送信され、設定情報管理部２０１が、当該コマンドに従って、設定情報書き込み部２０３に指示して、指示された更新処理を実行させる。
【００６１】
また、ユーティリティー１２は、ホストコンピューターに装着されたメモリーカードに対しても、設定情報及び優先フラグ３０１の変更処理、記録処理を行うことができる。操作者は、同様のインターフェース画面で記憶先（変更対象のメモリ）を、ホストコンピューターに装着されたメモリーカードに指定し、同様の指示操作を行うことができる。当該指示を受けたユーティリティー１２は、指示された内容に従って、装着されたメモリーカードに記憶された設定情報等の変更処理、当該メモリーカードへの設定情報等の記録処理を行う。
【００６２】
通常、ユーザー等による操作は、表示画面が大きく、入力装置も便利なコンピューターシステムで行う方が、プリンターにおいて行うよりも容易であるので、メモリーカード２１６に対する設定情報等の変更は、メモリーカード２１６をプリンター２から取り出してホストコンピューター１に装着後、上述のようにユーティリティー１２を用いた操作で行う方が容易である。
【００６３】
また、設定情報管理部２０１は、不揮発性メモリー２１５の設定情報と、メモリーカード２１６の設定情報を同期させる処理を実行するようにしてもよい。この場合、設定情報管理部２０１は、所定のタイミングで、不揮発性メモリー２１５の設定情報とメモリーカード２１６の設定情報を比較し、両者に相違があれば、メモリーカード２１６の設定情報を、不揮発性メモリー２１５の設定情報と同じ内容に編集する処理を実行するようにすることができる。この場合、不揮発性メモリー２１５の設定情報を設定情報読み取り部２０２に読み取らせ、その情報を、設定情報書き込み部２０３に指示して、メモリーカード２１６へ書き込ませる。
【００６４】
なお、所定のタイミングとは、所定時間間隔、不揮発性メモリー２１５の設定情報が編集された際、操作部２３から指示を受けた場合などとすることができる。
【００６５】
以上説明したように本実施の形態例に係るプリンター２では、設定情報を記憶する記憶部が二つ用意され、それらを並列に用いることができるので、一方に不具合が生じても、すぐに他方から設定情報を利用することができ、従来装置よりも安全性が向上する。
【００６６】
また、優先フラグ３０１を用いてどちらの記憶部に記憶されている設定情報を用いるのかを選択できるので、異なる設定情報を切り換えて用いたい場合、一時的に通常とは違う設定情報で動作させたい場合などに、従来装置のように、設定情報の更新、書き戻しの操作が必要なく、利便性が高い。
【００６７】
更に、メインで用いる記憶部（不揮発性メモリー２１５）における設定情報の不具合の際には、自動的にサブで用いるメモリ（メモリーカード２１６）から設定情報がコピーされ、自動的に修復されるので、この点でも利便性が高い。
【００６８】
また、一方の記憶部はメモリーカードであり、プリンターからの取り外しができるので、そこへのデータ登録、編集は、操作性の良いパーソナルコンピューターで行うことができる。また、容易に他のプリンターのメモリーカードを装着してその設定情報を試用することができる。
【００６９】
また、上述した同期の機能を用いることにより、設定情報のバックアップを自動で行うことができる。
【００７０】
また、使用されている記憶部についてユーザーに報知されるので、使用されている設定情報について誤認識を回避することができる。
【００７１】
また、メモリーカード２１６は、上述の通り、設定情報の記憶のためだけに設けられたものではなく、上述した設定情報に係る作用・効果を得るために新たに装置構成を増やす必要がない。
【００７２】
本発明の保護範囲は、上記の実施の形態に限定されず、特許請求の範囲に記載された発明とその均等物に及ぶものである。
【符号の説明】
【００７３】
１  ホストコンピューター、  ２  プリンター、  １１  ドライバー、  １２  ユーティリティー、  ２１  コントローラー、  ２２  印刷機構部、  ２３  操作部、  ２００
設定情報制御部、  ２０１  設定情報管理部、  ２０２  設定情報読み取り部、  ２０３設定情報書き込み部、  ２１１  ＣＰＵ、  ２１２  ＲＡＭ、  ２１３  ＲＯＭ、  ２１４  印刷制御回路、  ２１５  不揮発性メモリー、  ２１６  メモリーカード、  ３０１  優先フラグ、  ３０２  設定情報ファイル、  ３０３  フォントファイル、  ３０４
テンプレートファイル、  ３０５  イメージファイル
【図１】
2016007741.tif 000003
【図２】
2016007741.tif 000004
【図３】
2016007741.tif 000005